(57)【要約】【課題】  連続スクロール表示を実行する際の操作性を向上することができるナビゲーション装置、表示切替方法及び表示装置を提供する。【解決手段】  ナビ装置１は、ディスプレイ３と、回転操作される操作部５と、操作部５の回転量及び回転方向を検出する制御部１０とを備える。制御部１０は、操作部５の回転量及び回転方向に応じた地図描画データの変位量を算出し、この変位量に基づいて地図描画データの表示領域を決定し、その表示領域のデータをディスプレイに出力する。また、制御部１０は、操作部５が、一方向であって、予め定めた時間内に第１の回転量以上回転したことを検出した際に、地図描画データの表示領域を連続して変位させ、ディスプレイ３に画面を連続スクロール表示する。【選択図】      図２
2006145287.tif 000002
【特許請求の範囲】
【請求項１】
画像を表示する表示手段と、
回転操作される入力手段と、
前記入力手段の回転量及び回転方向を検出する回転検出手段と、
前記回転検出手段に基づいて、前記表示手段に表示されている画像を、前記入力手段の回転量及び回転方向に応じてスクロール表示する表示制御手段とを備えたナビゲーション装置において、
前記回転検出手段に基づいて、前記入力手段が、予め定めた時間内に、一方向に第１の回転量以上回転したか否かを判断する判断手段と、
前記判断手段により、前記入力手段が、予め定めた時間内に、一方向に第１の回転量以上回転したと判断した際に、前記表示手段に表示されている画像を前記入力手段の回転方向に応じて連続スクロール表示する連続表示制御手段と
を備えたことを特徴とするナビゲーション装置。
【請求項２】
請求項１に記載のナビゲーション装置において、
前記判断手段により、前記入力手段が、予め定めた時間内に、一方向に第１の回転量以上の回転を所定回数以上繰り返したと判断した際に、前記連続表示制御手段が、連続スクロール表示を行うことを特徴とするナビゲーション装置。
【請求項３】
請求項１又は２に記載のナビゲーション装置において、
前記連続表示制御手段は、前記連続スクロール表示が実行されている際であって、前記回転検出手段により前記入力手段が他方向に回転したことを検出した際に、前記連続スクロール表示を停止することを特徴とするナビゲーション装置。
【請求項４】
請求項３に記載のナビゲーション装置において、
前記連続表示制御手段は、前記回転検出手段により、前記入力手段が他方向に第２の回転量以上回転したことを検出した際に、前記連続スクロール表示を停止することを特徴とするナビゲーション装置。
【請求項５】
請求項１〜４のいずれか一つに記載のナビゲーション装置において、
前記回転検出手段は、前記入力手段の回転に連動するロータリーエンコーダを備え、前記ロータリーエンコーダから送出された信号に基づいて、前記入力手段の回転量及び回転方向を検出することを特徴とするナビゲーション装置。
【請求項６】
請求項１〜５のいずれか一つに記載のナビゲーション装置において、
前記入力手段は、同入力手段の回転に従動し、節度を与える節度動作を行う節度機構と連結され、
前記連続スクロール表示を行うための前記第１の回転量は、前記入力手段を、前記節度機構により所定回数の節度を発生する分だけ回転させた際の回転量であることを特徴とするナビゲーション装置。
【請求項７】
画像を表示する表示手段と、回転操作される入力手段とを備えたナビゲーション装置の表示モードを切替える表示切替方法であって、
前記ナビゲーション装置が、
前記入力手段の回転量及び回転方向を検出する工程と、
前記入力手段が、予め定めた時間内に、一方向に第１の回転量以上回転したか否かを判断する工程と、
前記入力手段が予め定めた時間内に、一方向に第１の回転量以上回転したと判断した際に、前記表示手段に表示されている画像を、前記入力手段の回転方向に応じて連続スクロ
ール表示する工程と
を有することを特徴とする表示切替方法。
【請求項８】
請求項７に記載の表示切替方法において、
前記ナビゲーション装置が、
前記入力手段が、予め定めた時間内に、一方向に第１の回転量以上回転していないと判断した場合に、前記表示手段に表示されている画像を、前記入力手段の回転量及び回転方向に応じてスクロール表示する工程を有することを特徴とする表示切替方法。
【請求項９】
画像を表示する表示手段と、
回転操作される入力手段と、
前記入力手段の回転量及び回転方向を検出する回転検出手段と、
前記回転検出手段に基づいて、前記表示手段に表示されている画像を、前記入力手段の回転量及び回転方向に応じてスクロール表示する表示制御手段とを備えた表示装置において、
前記回転検出手段に基づいて、前記入力手段が、予め定めた時間内に、一方向に第１の回転量以上回転したか否かを判断する判断手段と、
前記判断手段により、前記入力手段が、予め定めた時間内に、一方向に第１の回転量以上回転したと判断した際に、前記表示手段に表示されている画像を前記入力手段の回転方向に応じて連続スクロール表示することを特徴とする連続表示制御手段と
を備えたことを特徴とする表示装置。
【発明の詳細な説明】
【技術分野】
【０００１】
本発明は、ナビゲーション装置、表示切替方法、及び表示装置に関する。
【背景技術】
【０００２】
従来より、ナビゲーション装置は、スイッチ、回転操作可能なダイヤル等の入力部の操作により、ディスプレイに地図画面をスクロール表示できるようになっていた。例えば、特許文献１に記載されたナビゲーション装置では、ロータリースイッチの押下操作、回転方向等に基づいて、スクロール表示するモード及び通常モードの切替え、スクロール方向の決定等を行うようになっていた。
【特許文献１】特開２００２−１３２２４８号公報
【発明の開示】
【発明が解決しようとする課題】
【０００３】
ところが、上記したようなナビゲーション装置では、画面をスクロールさせる場合に、所望の位置に到達するまで入力部を連続して操作しなければならない。例えば、ダイヤルを備えたナビゲーション装置の場合には、ユーザの所望の位置がディスプレイに表示されるまで、ダイヤルを連続して回転操作しなければならず、操作性に問題があった。運転者がナビゲーション装置を操作する場合には、短時間かつ容易に操作を行う必要があるため、特に操作性が問題となる。また、入力部を連続操作しなくても、専用のスイッチを押下したり、メニュー画面から「連続スクロール」が選択された際に、一定の速度でスクロール表示を連続して行う、いわゆる連続スクロールを実行する方法も考えられる。しかし、この場合、スイッチが増加したり、操作方法が複雑化して操作性が低下する可能性がある。また、ユーザが「連続スクロール」を選択する操作を覚えられない可能性も想定される。
【０００４】
本発明は、上記問題点に鑑みてなされたものであり、その目的は、連続スクロール表示を実行する際の操作性を向上することができるナビゲーション装置、表示切替方法及び表示装置を提供することにある。
【課題を解決するための手段】
【０００５】
上記問題点を解決するために、請求項１に記載の発明は、画像を表示する表示手段と、回転操作される入力手段と、前記入力手段の回転量及び回転方向を検出する回転検出手段と、前記回転検出手段に基づいて、前記表示手段に表示されている画像を、前記入力手段の回転量及び回転方向に応じてスクロール表示する表示制御手段とを備えたナビゲーション装置において、前記回転検出手段に基づいて、前記入力手段が、予め定めた時間内に、一方向に第１の回転量以上回転したか否かを判断する判断手段と、前記判断手段により、前記入力手段が、予め定めた時間内に、一方向に第１の回転量以上回転したと判断した際に、前記表示手段に表示されている画像を前記入力手段の回転方向に応じて連続スクロール表示する連続表示制御手段とを備えたことを要旨とする。
【０００６】
請求項２に記載の発明は、請求項１に記載のナビゲーション装置において、前記判断手段により、前記入力手段が、予め定めた時間内に、一方向に第１の回転量以上の回転を所定回数以上繰り返したと判断した際に、前記連続表示制御手段が、連続スクロール表示を行うことを要旨とする。
【０００７】
請求項３に記載の発明は、請求項１又は２に記載のナビゲーション装置において、前記連続表示制御手段は、前記連続スクロール表示が実行されている際であって、前記回転検
出手段により前記入力手段が他方向に回転したことを検出した際に、前記連続スクロール表示を停止することを要旨とする。
【０００８】
請求項４に記載の発明は、請求項３に記載のナビゲーション装置において、前記連続表示制御手段は、前記回転検出手段により、前記入力手段が他方向に第２の回転量以上回転したことを検出した際に、前記連続スクロール表示を停止することを要旨とする。
【０００９】
請求項５に記載の発明は、請求項１〜４のいずれか一つに記載のナビゲーション装置において、前記回転検出手段は、前記入力手段の回転に連動するロータリーエンコーダを備え、前記ロータリーエンコーダから送出された信号に基づいて、前記入力手段の回転量及び回転方向を検出することを要旨とする。
【００１０】
請求項６に記載の発明は、請求項１〜５のいずれか一つに記載のナビゲーション装置において、前記入力手段は、同入力手段の回転に従動し、節度を与える節度動作を行う節度機構と連結され、前記連続スクロール表示を行うための前記第１の回転量は、前記入力手段を、前記節度機構により所定回数の節度を発生する分だけ回転させた際の回転量であることを要旨とする。
【００１１】
請求項７に記載の発明は、画像を表示する表示手段と、回転操作される入力手段とを備えたナビゲーション装置の表示モードを切替える表示切替方法であって、前記ナビゲーション装置が、前記入力手段の回転量及び回転方向を検出する工程と、前記入力手段が、予め定めた時間内に、一方向に第１の回転量以上回転したか否かを判断する工程と、前記入力手段が予め定めた時間内に、一方向に第１の回転量以上回転したと判断した際に、前記表示手段に表示されている画像を、前記入力手段の回転方向に応じて連続スクロール表示する工程とを有することを要旨とする。
【００１２】
請求項８に記載の発明は、請求項７に記載の表示切替方法において、前記ナビゲーション装置が、前記入力手段が、予め定めた時間内に、一方向に第１の回転量以上回転していないと判断した場合に、前記表示手段に表示されている画像を、前記入力手段の回転量及び回転方向に応じてスクロール表示する工程を有することを要旨とする。
【００１３】
請求項９に記載の発明は、画像を表示する表示手段と、回転操作される入力手段と、前記入力手段の回転量及び回転方向を検出する回転検出手段と、前記回転検出手段に基づいて、前記表示手段に表示されている画像を、前記入力手段の回転量及び回転方向に応じてスクロール表示する表示制御手段とを備えた表示装置において、前記回転検出手段に基づいて、前記入力手段が、予め定めた時間内に、一方向に第１の回転量以上回転したか否かを判断する判断手段と、前記判断手段により、前記入力手段が、予め定めた時間内に、一方向に第１の回転量以上回転したと判断した際に、前記表示手段に表示されている画像を前記入力手段の回転方向に応じて連続スクロール表示することを要旨とする。
【発明の効果】
【００１４】
請求項１に記載の発明によれば、ナビゲーション装置は、画像を表示する表示手段と、回転操作される入力手段と、この入力手段の回転量及び回転方向を検出する回転検出手段と、検出した回転方向及び回転量に応じてスクロール表示を行う表示制御手段とを備える。また、入力手段が、予め定めた時間内に、一方向であって第１の回転量以上回転したか否か判断する判断手段と、判断手段が予め定めた時間内に一方向であって第１の回転量以上回転したと判断した際に、画像を連続スクロール表示する連続表示制御手段とを備える。このため、通常のスクロールを行うための入力手段を、上記の条件で回転させた際に連続スクロール表示に切替えるため、複雑な操作を行うことなく、簡単な操作で連続スクロール表示を実行させることができる。このため、ナビゲーション装置の操作性を向上でき
る。
【００１５】
請求項２に記載の発明によれば、ナビゲーション装置の判断手段は、入力手段が予め定めた時間内に、一方向に第１の回転量以上の回転を所定回数以上繰り返したか否かを判断し、入力手段がその条件に合うように回転した場合には、連続表示制御手段により連続スクロール表示を行うようにした。このため、簡単な操作で連続スクロール表示を実行させることができる。
【００１６】
請求項３に記載の発明によれば、連続表示制御手段は、連続スクロール表示を行っている際であって、回転検出手段により、入力手段が他方向に回転したことを検出した際に、連続スクロール表示を停止させる。このため、ユーザは簡単な操作で、停止操作を行うことができる。
【００１７】
請求項４に記載の発明によれば、連続表示制御手段は、連続スクロール表示を行っている際に、回転検出手段により、入力手段が他方向に第２の回転量以上回転したことを検出した際に、連続スクロール表示を停止する。このため、操作性を向上するとともに、誤操作を防止できる。
【００１８】
請求項５に記載の発明によれば、回転検出手段は、ロータリーエンコーダを備え、このロータリーエンコーダから送出された信号に基づいて回転量及び回転方向を算出するので、検出精度の向上を図ることができる。また、回転検出手段をロータリーエンコーダから構成することで、装置の小型化を図ることができる。
【００１９】
請求項６に記載の発明によれば、入力手段は節度機構と連結されている。このため、入力手段を回転操作する際に、節度感を与えることができる。しかも、節度機構により節度が数回発生した際に、連続スクロール表示を行うことができるので、ユーザは、連続スクロールを行うための目安を付けることができる。
【００２０】
請求項７に記載の発明によれば、ナビゲーション装置は、画像を表示する表示手段と、回転操作される入力手段とを備える。ナビゲーション装置は、この入力手段の回転量及び回転方向を検出し、入力手段が、予め定めた時間内に、一方向であって第１の回転量以上回転したか否か判断する。また、ナビゲーション装置は、予め定めた時間内に一方向であって第１の回転量以上回転したと判断した際に、画像を回転方向に応じて連続スクロール表示する。このため、入力手段を、上記の条件で回転させた際に連続スクロール表示に切替えるため、複雑な操作を行うことなく、簡単な操作で連続スクロール表示を実行させることができる。このため、ナビゲーション装置の操作性を向上できる。
【００２１】
請求項８に記載の発明によれば、ナビゲーション装置は、入力手段が、予め定めた時間内に、一方向に第１の回転量以上回転していないと判断した場合に、入力手段の回転量及び回転方向に応じてスクロール表示を行う。このため、スクロール表示と連続スクロール表示を、同じ入力手段を使用して、簡単に切替えることができる。
【００２２】
請求項９に記載の発明によれば、表示装置は、回転操作される入力手段と、この入力手段の回転方向及び回転量を検出する回転検出手段と、検出した回転方向及び回転量に応じてスクロール表示を行う表示制御手段とを備える。また、入力手段が、予め定めた時間内に、一方向であって第１の回転量以上回転したか否か判断する判断手段と、判断手段が予め定めた時間内に一方向であって第１の回転量以上回転したと判断した際に、画像を連続スクロール表示する連続表示制御手段とを備える。このため、通常のスクロールを行うための入力手段を、上記の条件で回転させた際に連続スクロール表示に切替えるため、複雑な操作を行うことなく、簡単な操作で連続スクロール表示を実行させることができる。こ
のため、表示装置の操作性を向上できる。
【発明を実施するための最良の形態】
【００２３】
以下、本発明を具体化した一実施形態を図１〜図６に従って説明する。図１は、本実施形態の表示装置としてのナビゲーション装置（以下、単にナビ装置と言う）の正面図である。
【００２４】
図１に示すように、ナビ装置１は、筐体２に固定された表示手段としてのディスプレイ３を備えている。また、ナビ装置１は、各スイッチ４と、筐体２に対して回転可能に設けられた入力手段としての操作部５とを備えている。各スイッチ４は、各モードの選択、現在地・目的地の入力、音量調節等を行うための入力部であって、操作部５は、ディスプレイ３に表示された地図画面１００のスクロールを行うための入力部である。
【００２５】
例えば、図１のように表示された、画像としての地図画面１００の右側をディスプレイ３に表示する場合には、操作部５を図１中時計回り方向に回転操作するようになっている。地図画面１００の左側を表示する場合には、操作部５を反時計回り方向に回転操作する。また、地図画面１００の上側を表示する場合には、各スイッチ４のうち、上下スクロール表示を行うためのスイッチ４ａを押下した後、操作部５を時計回り方向に回転操作する。さらに、ユーザが、地図画面１００の下側を確認したい場合には、そのスイッチ４ａを押下した状態で、操作部５を反時計回り方向に回転操作する。
【００２６】
次に、ナビ装置１の電気的構成を図２に従って説明する。ナビ装置１は、回転検出手段、表示制御手段、判断手段、連続表示制御手段としての制御部１０、インターフェース（Ｉ／Ｆ）１１、ＧＰＳ受信部１２を備えている。ＧＰＳ受信部１２は、ＧＰＳ衛星からの電波を受信し、制御部１０は、インターフェース１１を介してＧＰＳ受信部１２から現在地の緯度、経度、高度等のデータを受信する。さらに、制御部１０は、車両に設けられた車速センサ１３、方位センサ１４からインターフェース１１を介して、出発地等からの相対距離、方位データ等を受信する。そして、制御部１０は、ＧＰＳ受信部１２からのデータ、車速センサ１３、方位センサ１４からのデータに基づいて、自車位置を算出する。
【００２７】
また、制御部１０は、図示しないディスクドライブに挿入された光ディスクが格納する経路データ記憶部１５、描画データ記憶部１６から、経路データ１５ａ、描画データ１６ａの読出しを行う。各経路データ１５ａは、緯度・経度に基づいて区画された各エリアの道路に対応するノードデータ、リンクデータを格納し、隣接するエリアの経路データ１５ａと互いに関連付けられている。制御部１０は、この経路データ１５ａに基づいて、現在地から目的地までの最適な案内経路を算出する。
【００２８】
描画データ記憶部１６に格納された各描画データ１６ａは、道路、施設等を描画する背景データ、施設名等を表示する文字データ等から構成されている。また、各描画データ１６ａは、経路データ１５ａと同じように各エリアごとに分割されている。さらに、各描画データ１６ａは、隣接するエリアの描画データ１６ａと互いに関連付けられている。制御部１０は、経路案内モードが設定されている場合には、経路データ１５ａに基づいて算出した案内経路に対応する描画データ１６ａを読出し、これらの描画データ１６ａを連結させて地図描画用データを作成する。作成された地図描画用データは、ＲＡＭ１８に一時格納される。そして、制御部１０は、地図描画データのうち、自車位置を中心とした所定距離内のデータを読出し、自車位置、案内経路を、読み出した地図描画用データに重ね合わせてディスプレイ３に表示する。
【００２９】
また、ナビ装置１は、回転検出手段を構成するロータリーエンコーダ２０を備えている。ロータリーエンコーダ２０は、筐体２に設けられた操作部５と駆動連結されている。こ
れにより、操作部５を回転操作すると、ロータリーエンコーダ２０は、パルス信号を発生するようになっている。また、制御部１０は、パルス信号数をカウントすることによって操作部５の回転量を算出し、パルス信号の位相によって回転方向を算出することができるようになっている。
【００３０】
また、操作部５には、節度機構２１が駆動連結されている。節度機構２１は、操作部５の一定の回転量ごとに、クリック音と、節度感とを与える機構である。また、１回分の節度感を発生するための操作部５の回転量（以下、１ステップと言う）により、ロータリーエンコーダ２０が所定数（自然数）のパルス信号を発生するようになっている。
【００３１】
次に、ナビ装置１がディスプレイ３に地図等を表示する処理手順について、図３に従って説明する。まず、制御部１０は、自車位置を中心とした予め決められた距離内に含まれる各描画データ１６ａを描画データ記憶部１６から抽出する。制御部１０は、抽出された各描画データ１６ａを連結して地図描画データを作成し、その地図描画データをＲＡＭ１８に一時格納する。そして、地図描画データのうち、ディスプレイ３に自車位置を中心とした所定距離内のデータを表示領域として出力する。また、制御部１０は、自車位置の移動に応じて、地図描画データの表示領域を変更及び出力する処理を繰り返す。このとき、制御部１０が、経路案内モードが設定されていることを検知した場合には、目的地までの経路、自車位置を示す位置マーク１０５（図４参照）を地図に重ねて表示する。
【００３２】
このとき、制御部１０は、操作部５の回転操作が行われたか否かの判断を繰り返す（ステップＳ１−１）。制御部１０が、ロータリーエンコーダ２０からのパルス信号を受信すると、操作部５が回転操作されたと判断して（ステップＳ１−１においてＹＥＳ）、操作部５の回転方向及び回転量を算出する（ステップＳ１−２）。具体的には、制御部１０が、ロータリーエンコーダ２０により発生したパルス信号をカウントして回転量を演算し、パルス信号の位相に基づいて回転方向を判断する。
【００３３】
次に、制御部１０は、所定時間内に第１の回転量を検出したか否かを判断する（ステップＳ１−３）。このとき、制御部１０は、タイマ１７を使用して、所定時間内において、ステップＳ１−２で算出された回転量が第１の回転量以上であるか否かを判断する。本実施形態では、例えば、所定時間は、１．５秒であって、所定回転量は、節度機構２１の３ステップ分として設定されている。所定時間内に第１の回転量が検出されなかったと判断した場合（ステップＳ１−３においてＮＯ）には、制御部１０は、通常のスクロール表示を行う（ステップＳ１−４）。つまり、制御部１０は、ＲＡＭ１８に格納された地図描画データの表示領域を、操作部５の回転方向及び回転量に応じて変位させる。例えば、制御部１０が、地図を上下方向に移動させるためのスイッチ４ａから信号を受信し、操作部５が時計回り方向に回転したと判断した場合には、制御部１０は、回転量に応じて、地図描画データの表示領域の上側への変位量を演算する。そして、地図描画データの表示領域を、現在の表示領域よりも上側に、算出した変位量だけ移動して、表示領域のデータをディスプレイ３に出力する。これにより、ディスプレイ３に表示された画面は、操作部５の回転量だけ上側にスクロール表示される。そして、制御部１０はステップＳ１−１に戻り、上記した処理を繰り返す。
【００３４】
所定時間内に、第１の回転量が検出されたと判断した場合（ステップＳ１−３においてＹＥＳ）、連続スクロール表示を行う（ステップＳ１−５）。即ち、ナビ装置１においては、ユーザは、現在の表示領域から大きく離れた位置をディスプレイ３に表示する際に、操作部５を比較的多量に、しかも速く連続して回転させる。このため、このような操作を行った際に、ナビ装置１が自動的に連続スクロール表示に切替えるように設定している。
【００３５】
このとき、制御部１０は、ＲＡＭ１８に格納された地図描画データの現在の表示領域を
、算出された回転方向に予め決められた速度で変位させる。例えば、制御部１０が、画面を上下方向に移動するスイッチ４ａから信号を受信した状態で、操作部５が時計回り方向に回転したと判断した場合には、以後操作部５の操作を停止しても、地図描画データの表示領域を上側に一定の速度で移動する。これにより、図４に示すディスプレイ３に表示された表示領域１０１に連続して、図５のように、表示領域１０１の上側（図４中Ｙ軸方向）の表示領域１０２がディスプレイ３に表示され、表示領域１０１のうち、図４中下側（反Ｙ軸方向）の領域は、ディスプレイ３に表示されない状態になる。このように、制御部１０が地図描画データの表示領域を変位させることにより、ディスプレイ３には、予め決められた速度で、表示領域が上方向に移動する連続スクロール表示が実行される。操作部５が反時計回り方向に回転操作されたと判断した場合には、表示領域が下側に移動する連続スクロール表示が実行される。
【００３６】
また、制御部１０が、前記したスイッチ４ａから信号を受信していない状態で、操作部５が時計回り方向に回転操作されたと判断した場合には、図４のように表示された表示領域１０１に連続して、図６のように表示領域１０１の右側（図４中Ｘ軸方向）の表示領域１０３が連続して表示される。制御部１０が、スイッチ４ａから信号を受信し、しかも操作部５が反時計回り方向に回転したと判断した場合には、表示領域が左方向（図４中反Ｘ軸方向）に変位する、連続スクロール表示が実行される。
【００３７】
この連続スクロールが行われている状態において、制御部１０は、操作部５の反対方向の回転を検出したか否かを判断する（ステップＳ１−６）。このとき、制御部１０は、ロータリーエンコーダ２０からのパルス信号の受信の有無をチェックし、受信した場合には、その回転方向を算出する。そして、ステップＳ１−２で算出した回転方向と反対方向であるか否かを判断する。
【００３８】
反対方向の回転を検出したと判断した場合には（ステップＳ１−６においてＹＥＳ）、連続スクロール表示を停止する（ステップＳ１−７）。これにより、ディスプレイ３に表示された地図画面１００は停止する。そして、ステップＳ１−１に戻り、上記した処理を繰り返す。反対方向の回転を検出しなかった場合（ステップＳ１−６においてＮＯ）には、所定時間の間、連続スクロール表示を行いながら（ステップＳ１−５）、反対方向の回転をチェックする（ステップＳ１−６）。
【００３９】
上記実施形態によれば、以下のような効果を得ることができる。
（１）上記実施形態では、ナビ装置１は、回転操作可能な操作部５を備えるようにした。また、ナビ装置１は、操作部５の回転に連動して、パルス信号を発生するロータリーエンコーダ２０と、パルス信号の数と位相とに基づいて操作部５の回転量及び回転方向を算出する制御部１０を備えるようにした。さらに、制御部１０は、算出された回転量及び回転方向に応じて、ディスプレイ３に地図画面１００を表示するための地図描画データの変位量を演算し、この変位量に基づいて地図描画データの表示領域を変位するようにした。さらに、制御部１０は、操作部５が一方向であって予め定めた所定時間内に第１の回転量以上回転したと判断した際に、操作部５から手を離しても、地図描画データの表示領域を同じ方向に連続して変位するようにした。即ち、制御部１０は、スクロール表示に使用する操作部５が所定の条件で回転すると、連続スクロール表示に自動的に切替える。このため、ユーザは、メニュー画面からのモードの選択等、複雑な操作を行う必要がないので、簡単に短時間で操作することができる。また、連続スクロールに切替える操作方法を覚えやすくするとともに、ユーザが操作方法を特に覚えていない場合にも、連続スクロールを実行することができる。従って、ナビ装置１の操作性を向上することができるので、運転者等の操作の負荷が軽減される。
【００４０】
（２）上記実施形態では、制御部１０が、連続スクロール表示が実行されている際に、
操作部５が反対方向に回転したと判断した際に、連続スクロール表示を停止させるようにした。このため、ユーザは、簡単な操作で、停止操作を行うことができる。
【００４１】
（３）上記実施形態では、操作部５をロータリーエンコーダ２０と連結し、ロータリーエンコーダ２０からのパルス信号により、制御部１０が回転量及び回転方向を演算するようにした。このため、回転量及び回転方向の検出精度の向上、装置の小型化を図ることができる。
【００４２】
（４）上記実施形態では、操作部５の一定の回転量ごとに、１ステップの節度を発生する節度機構２１を設けるようにした。そして、操作部５を、３ステップ分だけ回転操作した際に、ディスプレイ３の画面が連続スクロール表示されるようにした。このため、操作部５の操作性が向上するとともに、ユーザが連続スクロールに切替えるための回転量の目安を付けることができるので、操作方法を容易に覚えることができる。
【００４３】
尚、上記実施形態は以下のように変更してもよい。
・上記実施形態では、所定時間を１．５秒、第１の回転量を３ステップ分としたが、これ以外の時間、回転量でもよい。また、ステップＳ１−３における判断処理の条件（所定時間内に第１の回転量回転）は、所定時間内に、所定回転量（第１の回転量）以上の回転が所定回数以上繰り返されるという条件にしてもよい。例えば、ステップＳ１−３において、３ステップ分以上の回転が所定時間内に３回以上繰り返されたと判断した場合に、連続スクロール表示を行う（ステップＳ１−５）ようにしてもよい。つまり、操作部５が３回回転操作される等して、操作部５の回転操作が断続的に行われた際に、所定時間内に所定回転量以上の回転を所定回数以上検出した場合には、連続スクロール表示を行うようにしてもよい。
【００４４】
・上記実施形態では、連続スクロール表示を実行している際に、制御部１０が、操作部５の反対方向の回転を検出するとともに、第２の回転量を検出した際に（ステップＳ１−６においてＹＥＳ）、連続スクロール表示を停止する（ステップＳ１−７）ようにしてもよい。第２の回転量は、例えば、１ステップ分であって、予め設定されている。
【００４５】
・上記実施形態では、節度機構２１を省略してもよい。これにより、ナビ装置１を簡素化することができる。この場合にも、操作部５を、所定時間内に、所定の回転量だけ回転操作した際に、連続スクロール表示を行う。
【００４６】
・上記実施形態では、経路データ記憶部１５及び描画データ記憶部１６は、ディスクドライブに挿入される光ディスクに格納されているとしたが、ナビ装置１に備えられるハードディスクに格納されていてもよい。また、ナビ装置１は、ＧＰＳ受信部１２を省略し、車両に別途設けられたＧＰＳ受信部からデータを受信する構成にしてもよい。さらに、ナビ装置１は、車速センサ１３、方位センサ１４のいずれかを備えていてもよい。
【００４７】
・上記実施形態では、操作部５の回転方向及び回転量によって連続スクロールを実行する方法を他の表示装置に応用しても良い。
【図面の簡単な説明】
【００４８】
【図１】本発明のナビ装置の正面図。
【図２】同ナビ装置の電気的構成を示すブロック図。
【図３】同ナビ装置の処理手順の説明図。
【図４】同ナビ装置のディスプレイに表示された画面の説明図。
【図５】同ディスプレイに表示された画面の説明図。
【図６】同ディスプレイに表示された画面の説明図。
【符号の説明】
【００４９】
１…表示装置としてのナビゲーション装置、３…表示手段としてのディスプレイ、５…入力手段としての操作部、１０…回転検出手段、判断手段、表示制御手段、連続表示制御手段を構成する制御部、１６ａ…描画データ、２０…回転検出手段を構成するロータリーエンコーダ、２１…節度機構、１０１，１０２，１０３…表示領域。
【図１】
2006145287.tif 000003
【図２】
2006145287.tif 000004
【図３】
2006145287.tif 000005
【図４】
2006145287.tif 000006
【図５】
2006145287.tif 000007
【図６】
2006145287.tif 000008